(57)【要約】【課題】オンライン作業の作業状態の確認を簡便に行う。【解決手段】作業者端末１とネットワーク４を介して接続され、作業者によるオンライン作業の作業状態を管理するファイルサーバ３であって、データ格納ディレクトリｂ２に格納されたオンライン作業ファイルの権限ユーザに関する情報を記憶する権限ユーザデータベースｂ３と、作業者端末１から送信され通信制御部３４を介して受信された、オンライン作業ファイルの公開条件を指示する公開条件指示情報に基づいて、権限ユーザデータベースｂ３に記憶された権限ユーザに対してのオンライン作業ファイルの公開モードを設定する公開モード設定手段（例えば、ＣＰＵ３１１）とを備える。【選択図】図２
2006127099.tif 000002
【特許請求の範囲】
【請求項１】
作業者により使用される作業者端末と所定の通信回線を介して接続され、前記作業者端末を介して行われる所定のオンライン作業に用いられるオンライン作業情報を記憶するオンライン作業情報記憶手段を備え、前記作業者による前記所定のオンライン作業の作業状態を管理する作業管理サーバであって、
前記オンライン作業情報記憶手段に記憶された前記オンライン作業情報の公開対象者に関する公開対象者情報を記憶する公開対象者情報記憶手段と、
前記作業者端末から送信され、前記オンライン作業情報記憶手段に記憶された前記オンライン作業情報の公開条件を指示する公開条件指示情報を受信する公開条件指示情報受信手段と、
前記公開条件指示情報受信手段により受信された前記公開条件指示情報に基づいて、前記公開対象者情報記憶手段に記憶されている前記公開対象者情報に係る前記公開対象者に対しての前記オンライン作業情報の公開モードを設定する公開モード設定手段と、
を備えることを特徴とする作業管理サーバ。
【請求項２】
前記作業者端末から送信され、前記公開モード設定手段により設定された前記公開モードの変更を指示する公開モード変更指示情報を受信する変更指示情報受信手段と、
前記変更指示情報受信手段により受信された前記公開モード変更指示情報に基づいて、前記公開モード設定手段により設定された前記公開モードを変更する公開モード変更手段と、を備えることを特徴とする請求項１に記載の作業管理サーバ。
【請求項３】
前記オンライン作業情報記憶手段は、ジョブを構成する複数のオンライン作業に係るオンライン作業情報を複数記憶し、
前記複数のオンライン作業情報のうち、何れか一のオンライン作業情報の前記公開モードの前記公開モード設定手段による設定に基づいて、前記一のオンライン作業情報以外の前記ジョブを構成する前記オンライン作業情報の公開モードを前記一のオンライン作業情報の前記公開モードと同じになるように設定する同公開モード設定手段を備えることを特徴とする請求項１又は２に記載の作業管理サーバ。
【請求項４】
前記作業者端末から送信され、前記公開モード設定手段により設定された前記公開モードに従った前記オンライン作業情報の公開の中止を指示する公開中止指示情報を受信する中止指示情報受信手段と、
前記中止指示情報受信手段により受信された前記公開中止指示情報に基づいて、前記公開モード設定手段により前記公開モードが設定された前記オンライン作業情報の公開を中止させる公開中止手段と、を備えることを特徴とする請求項１〜３の何れか一項に記載の作業管理サーバ。
【請求項５】
作業者により使用される作業者端末と、前記作業者端末と所定の通信回線を介して接続され、前記作業者端末を介して行われる所定のオンライン作業に用いられるオンライン作業情報を記憶するオンライン作業情報記憶手段を有し、前記作業者による前記所定のオンライン作業の作業状態を管理する作業管理サーバと、を備える作業管理システムであって、
前記作業者端末は、
前記オンライン作業情報記憶手段に記憶された前記オンライン作業情報の公開条件を指示する公開条件指示情報を送信する公開条件指示情報送信手段を備え、
前記作業管理サーバは、
前記オンライン作業情報記憶手段に記憶された前記オンライン作業情報の公開対象者に関する公開対象者情報を記憶する公開対象者情報記憶手段と、
前記公開条件指示情報送信手段から送信された前記公開条件指示情報を受信する公開条件指示情報受信手段と、
前記公開条件指示情報受信手段により受信された前記公開条件指示情報に基づいて、前記公開対象者情報記憶手段に記憶されている前記公開対象者情報に係る前記公開対象者に対しての前記オンライン作業情報の公開モードを設定する公開モード設定手段と、を備えることを特徴とする作業管理システム。
【発明の詳細な説明】
【技術分野】
【０００１】
本発明は、オンライン作業の作業状態を管理するための作業管理サーバ及び作業管理システムに関する。
【背景技術】
【０００２】
近年、社内ＬＡＮ等のネットワーク化が急速に進んでおり、当該社内ＬＡＮ等を介して所定の仕事（作業）をオンラインにて行うことができるようなシステムが提案されている。具体的には、所定の記憶装置の記憶領域に作業者によるオンライン作業の対象となるデータが格納されたデータ格納ディレクトリを設けておき、作業者が所定の端末装置から記憶装置のデータ格納ディレクトリにアクセスして、このデータ格納ディレクトリと端末装置の作業ディレクトリとを接続する（オンラインにする）ことにより、所定のデジタル作業を行うようになっている（例えば、特許文献１参照）。
【０００３】
また、上記特許文献１のシステムにあっては、作業ディレクトリとデータ格納ディレクトリとの接続時間に基づいて、オンライン作業の進捗状況等の作業状態を管理するようになっている。
【特許文献１】特開２００３−２８０９４７号公報
【発明の開示】
【発明が解決しようとする課題】
【０００４】
しかしながら、上記特許文献１等の場合、オンライン作業の依頼者（顧客）や作業者を管理する管理者等が、作業者によるオンライン作業の作業状態を確認するためには、当該作業者が作業ディレクトリとデータ格納ディレクトリとを接続している時間しか確認することができなかった。また、依頼者や管理者等によるオンライン作業の作業状態の確認にあっては、予めユーザ登録を行ってＩＤやパスワードの設定を行う必要がある。即ち、依頼者や管理者等は、予めシステム上で所定のログインプログラムを実行させ、当該ログインプログラムの実行下にて所定の設定処理を行わなければならないといった問題があり、その作業が煩わしいものとなっている。
【０００５】
そこで、本発明の課題は、オンライン作業の作業状態の確認を簡便に行うことができる作業管理サーバ及び作業管理システムを提供することである。
【課題を解決するための手段】
【０００６】
上記課題を解決するため、請求項１に記載の発明は、
作業者により使用される作業者端末と所定の通信回線を介して接続され、前記作業者端末を介して行われる所定のオンライン作業に用いられるオンライン作業情報を記憶するオンライン作業情報記憶手段を備え、前記作業者による前記所定のオンライン作業の作業状態を管理する作業管理サーバであって、
前記オンライン作業情報記憶手段に記憶された前記オンライン作業情報の公開対象者に関する公開対象者情報を記憶する公開対象者情報記憶手段と、
前記作業者端末から送信され、前記オンライン作業情報記憶手段に記憶された前記オンライン作業情報の公開条件を指示する公開条件指示情報を受信する公開条件指示情報受信手段と、
前記公開条件指示情報受信手段により受信された前記公開条件指示情報に基づいて、前記公開対象者情報記憶手段に記憶されている前記公開対象者情報に係る前記公開対象者に対しての前記オンライン作業情報の公開モードを設定する公開モード設定手段と、
を備えることを特徴とする。
【０００７】
請求項２に記載の発明は、請求項１に記載の作業管理サーバにおいて、
前記作業者端末から送信され、前記公開モード設定手段により設定された前記公開モードの変更を指示する公開モード変更指示情報を受信する変更指示情報受信手段と、
前記変更指示情報受信手段により受信された前記公開モード変更指示情報に基づいて、前記公開モード設定手段により設定された前記公開モードを変更する公開モード変更手段と、を備えることを特徴とする。
【０００８】
請求項３に記載の発明は、請求項１又は２に記載の作業管理サーバにおいて、
前記オンライン作業情報記憶手段は、ジョブを構成する複数のオンライン作業に係るオンライン作業情報を複数記憶し、
前記複数のオンライン作業情報のうち、何れか一のオンライン作業情報の前記公開モードの前記公開モード設定手段による設定に基づいて、前記一のオンライン作業情報以外の前記ジョブを構成する前記オンライン作業情報の公開モードを前記一のオンライン作業情報の前記公開モードと同じになるように設定する同公開モード設定手段を備えることを特徴とする。
【０００９】
請求項４に記載の発明は、請求項１〜３の何れか一項に記載の作業管理サーバにおいて、
前記作業者端末から送信され、前記公開モード設定手段により設定された前記公開モードに従った前記オンライン作業情報の公開の中止を指示する公開中止指示情報を受信する中止指示情報受信手段と、
前記中止指示情報受信手段により受信された前記公開中止指示情報に基づいて、前記公開モード設定手段により前記公開モードが設定された前記オンライン作業情報の公開を中止させる公開中止手段と、を備えることを特徴とする。
【００１０】
請求項５に記載の発明は、
作業者により使用される作業者端末と、前記作業者端末と所定の通信回線を介して接続され、前記作業者端末を介して行われる所定のオンライン作業に用いられるオンライン作業情報を記憶するオンライン作業情報記憶手段を有し、前記作業者による前記所定のオンライン作業の作業状態を管理する作業管理サーバと、を備える作業管理システムであって、
前記作業者端末は、
前記オンライン作業情報記憶手段に記憶された前記オンライン作業情報の公開条件を指示する公開条件指示情報を送信する公開条件指示情報送信手段を備え、
前記作業管理サーバは、
前記オンライン作業情報記憶手段に記憶された前記オンライン作業情報の公開対象者に関する公開対象者情報を記憶する公開対象者情報記憶手段と、
前記公開条件指示情報送信手段から送信された前記公開条件指示情報を受信する公開条件指示情報受信手段と、
前記公開条件指示情報受信手段により受信された前記公開条件指示情報に基づいて、前記公開対象者情報記憶手段に記憶されている前記公開対象者情報に係る前記公開対象者に対しての前記オンライン作業情報の公開モードを設定する公開モード設定手段と、を備えることを特徴とする。
【発明の効果】
【００１１】
請求項１に記載の発明によれば、オンライン作業情報記憶手段に記憶されたオンライン作業情報の公開対象者に関する公開対象者情報を記憶する公開対象者情報記憶手段と、作業者端末から送信され公開条件指示情報受信手段により受信された、オンライン作業情報の公開条件を指示する公開条件指示情報に基づいて、公開対象者情報記憶手段に記憶されている公開対象者情報に係る公開対象者に対してのオンライン作業情報の公開モードを設定する公開モード設定手段とが備えられている。即ち、受信された公開条件指示情報に基づいて、記憶されている公開対象者情報に係る公開対象者に対してのオンライン作業情報の公開モードを設定することができるので、設定された公開モードに従ってオンライン作業情報を公開することができることとなり、当該オンライン作業情報に基づいてオンライン作業の作業状態の確認を簡便に行うことができる。
【００１２】
請求項２に記載の発明によれば、請求項１に記載の発明と同様の効果が得られるのは無論のこと、特に、作業者端末から送信され変更指示情報受信手段により受信された、公開モード設定手段により設定された公開モードの変更を指示する公開モード変更指示情報に基づいて、設定された公開モードを変更する公開モード変更手段が備えられているので、一旦設定された公開モードを変更することができることとなり、変更された公開モードに従ってオンライン作業情報を適正に公開することができる。これにより、作業管理サーバにより管理されるシステムをより魅力的なものとすることができる。
【００１３】
請求項３に記載の発明によれば、請求項１又は２に記載の発明と同様の効果が得られるのは無論のこと、特に、複数のオンライン作業情報のうち、何れか一のオンライン作業情報の公開モードの公開モード設定手段による設定に基づいて、一のオンライン作業情報以外のジョブを構成するオンライン作業情報の公開モードを一のオンライン作業情報の公開モードと同じになるように設定する同公開モード設定手段が備えられているので、一のジョブを構成する何れか一のオンライン作業情報の公開モードの設定を行うことにより、当該一のジョブを構成する複数のオンライン作業情報の公開モードを簡便に設定することができる。
【００１４】
請求項４に記載の発明によれば、請求項１〜３に記載の発明と同様の効果が得られるのは無論のこと、特に、作業者端末から送信され中止指示情報受信手段により受信された、オンライン作業情報の公開の中止を指示する公開中止指示情報に基づいて、公開モード設定手段により公開モードが設定されたオンライン作業情報の公開を中止させる公開中止手段が備えられているので、一旦公開モードが設定されたオンライン作業情報であっても、当該公開を適正に中止させることができる。これにより、作業管理サーバにより管理されるシステムをより魅力的なものとすることができる。
【００１５】
請求項５に記載の発明によれば、作業者により使用される作業者端末と、前記作業者端末と所定の通信回線を介して接続され作業者による所定のオンライン作業の作業状態を管理する作業管理サーバとを備える作業管理システムであって、作業管理サーバには、オンライン作業情報記憶手段に記憶されたオンライン作業情報の公開対象者に関する公開対象者情報を記憶する公開対象者情報記憶手段と、作業者端末の公開条件指示情報送信手段から送信され公開条件指示情報受信手段により受信された、オンライン作業情報の公開条件を指示する公開条件指示情報に基づいて、公開対象者情報記憶手段に記憶されている公開対象者情報に係る公開対象者に対してのオンライン作業情報の公開モードを設定する公開モード設定手段とが備えられている。即ち、受信された公開条件指示情報に基づいて、記憶されている公開対象者情報に係る公開対象者に対してのオンライン作業情報の公開モードを設定することができるので、設定された公開モードに従ってオンライン作業情報を公開することができることとなり、当該オンライン作業情報に基づいてオンライン作業の作業状態の確認を簡便に行うことができる。
【発明を実施するための最良の形態】
【００１６】
以下に、本発明について、図面を用いて具体的な態様を説明する。ただし、発明の範囲は、図示例に限定されない。
ここで、図１は、本発明を適用した一実施形態として例示する作業管理システム１００を説明するための図である。
【００１７】
作業管理システム１００は、ネットワークで接続されたコンピュータ環境でデータにアクセスしながら作業（オンライン作業）を行うような場合に好ましく適用でき、具体的には、図１に示すように、作業者（オペレータ）により使用される複数（図１には、２つのみ図示）の作業者端末１、…と、作業者を管理する管理者により使用される管理者端末２と、作業者や管理者により行われる所定のオンライン作業の作業状態を管理するファイルサーバ（作業管理サーバ）３とがネットワーク４（所定の通信回線）を介して接続されている。
なお、本発明に係る作業管理システム１００は、例えば、ＤＴＰ、プリプレスといった印刷業界やＸ線画像を管理運用する医療業界、また、オンライン出版、電子出版、ポストカード作成等の写真・画像処理業界において適用可能である。
また、ネットワーク４は、専用線や既存の一般公衆回線を利用して構築された通信ネットワーク（通信回線）であり、ＬＡＮやＷＡＮ等の様々な回線形態を適用することが可能である。ネットワーク４には、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。
【００１８】
以下、ファイルサーバ３について図２を参照して説明する。ここで、図２は、ファイルサーバ３の概略構成示すブロック図である。
図２に示すように、ファイルサーバ３は、制御部３１と、表示部３２と、操作入力部３３と、通信制御部３４等を備えて構成されている。
【００１９】
制御部３１は、作業管理プログラムの実行に基づいて、オンライン作業の作業状態を管理するための種々の処理を行うためのものであり、各種の演算処理等を行うＣＰＵ３１１と、このＣＰＵ３１１のワークエリア等として使用されるとともに、ＣＰＵ３１１が各部を制御するのに必要な所定のプログラム等が記憶された記憶部３１２とを備えている。
【００２０】
ＣＰＵ（Central Processing Unit）３１１は、記憶部３１２のプログラムエリア３１２ｃ内に格納されたプログラムを読み出して作業エリア３１２ａ内に展開し、当該プログラムに基づいて各部への指示やデータの送受信の制御を行う。
【００２１】
記憶部３１２には、ＣＰＵ３１１のワークエリアとして機能するための作業エリア３１２ａと、各種情報データベース等が記憶されたデータエリア３１２ｂと、ＣＰＵ３１１に実行させるプログラムが格納されたプログラムエリア３１２ｃとが形成されている。
【００２２】
データエリア３１２ｂには、作業管理データベースｂ１、データ格納ディレクトリｂ２、権限ユーザデータベースｂ３、公開条件テーブルｂ４等が記憶されている。
【００２３】
作業管理データベースｂ１は、各作業者によるオンライン作業の進捗状況等の作業状態を記憶するためのものである。即ち、作業管理データベースｂ１には、各オンライン作業ファイルと対応付けて、オンライン作業毎に当該作業が既に開始されている場合には、その開始日時や作業時間に係るデータ、作業が中断中である場合には、その中断日時に係るデータ、未だ作業が開始されていない場合にはその状態に係る所定のデータ等が記憶されるようになっている。
【００２４】
データ格納ディレクトリｂ２は、オンライン作業情報記憶手段として、オンライン作業に関するオンライン作業ファイル（オンライン作業情報）を格納するものである。
ここで、オンライン作業は、例えば、複数の関連性を有するオンライン作業（アクション）により一のジョブを構成するようになっており、データ格納ディレクトリｂ２には、例えば、ジョブ毎に所定数のオンライン作業ファイルが記憶されている。また、ジョブとは、例えば、所定数のオンライン作業（アクション）により定義される仕事の単位である。具体的には、例えば、所定の雑誌の表紙画像データの処理として、「入力」、「色補正」、「出力」の３つがある場合には、「雑誌の表紙」がジョブに対応し、「入力」、「色補正」、「出力」の３つの処理がオンライン作業に対応するものである。
【００２５】
権限ユーザデータベースｂ３は、各オンライン作業毎に、オンライン作業ファイルに対するアクセス権限を有するユーザ、即ち、当該オンライン作業の作業者、この作業者の管理者であるオーナーやオーナー管理者等のＩＤやパスワード等を記憶するものである。即ち、権限ユーザデータベースｂ３に記憶されているユーザが、オンライン作業ファイルの公開対象者となっており、当該権限ユーザデータベースｂ３により公開対象者情報（ユーザ）を記憶する公開対象者情報記憶手段が構成されている。
なお、管理者は、例えば各オンライン作業を作業者に対して割り当て等をして当該作業者によるオンライン作業の管理を行う者であり、オーナーとしては、例えば、作業者を管理する当該作業者の直属の長が挙げられ、オーナー管理者としては、オーナーを管理する当該オーナーの直属の長が挙げられる。
【００２６】
公開条件テーブルｂ４は、制御部３１の制御下にて、権限ユーザデータベースｂ３に規定されたユーザに対するオンライン作業ファイルの公開に係る公開モード設定処理や公開モード変更処理や並列公開モード処理等を実行するために用いられるものである。具体的には、図３に示すように、公開条件テーブルｂ４は、設定される各モード毎に、ジョブ情報の公開フラグ（「０」：非公開の場合、「１」：公開の場合）及び公開制御ＩＤ（公開条件、「Ａ」：非ＮＵＬＬの状態）と、アクション情報（オンライン作業ファイル）の公開フラグ（「０」：非公開の場合、「１」：公開の場合）とが対応付けられて記憶されている。
【００２７】
プログラムエリア３１２ｃには、作業管理プログラムｃ１、公開モード設定プログラムｃ２、公開モード変更プログラムｃ３、同公開モード設定プログラムｃ４、公開中止プログラムｃ５等が記憶されている。
【００２８】
作業管理プログラムｃ１は、制御部３１の制御下にて、記憶部３１２のオンライン作業ファイルを格納したデータ格納ディレクトリｂ２と、作業者端末１の記憶部１２に形成される作業ディレクトリ１２２ａとを論理的に接続（マウント）して作業を行うオンライン作業の作業状態を管理する機能を実現させるためのプログラムである。
より具体的には、作業者端末１から送信されたデータ格納ディレクトリｂ２に対するアクセス要求信号の通信制御部３４による受信に基づいて、所定の判定プログラムに従ってアクセスが許可されていると判定された場合に、ＣＰＵ３１１による作業管理プログラムｃ１の実行に基づいて、アクセス要求されたデータ格納ディレクトリｂ２と作業者端末１の作業ディレクトリ１２２ａとを接続させる。また、当該作業管理プログラムｃ１の実行下においては、ＣＰＵ３１１は、作業ディレクトリ１２２ａとデータ格納ディレクトリｂ２とが接続されている時間を作業者によるオンライン作業の作業時間とみなして、その作業時間を当該オンライン作業の進捗状況として作業管理データベースｂ１に記憶させる。
【００２９】
公開モード設定プログラムｃ２は、通信制御部３４により受信された公開条件指示情報に基づいて、権限ユーザデータベースｂ３に規定されているユーザ（公開対象者情報に係る公開対象者）に対してのオンライン作業ファイルの公開モードを設定する機能を実現させるプログラムである。ここで、ＣＰＵ３１１により公開モード設定プログラムｃ２が実行されることに基づいて、制御部３１が公開モード設定手段として機能する。
なお、公開モードとしては、例えば、オンライン作業ファイルのアップロード並びにダウンロードを実行可能な「アップロード／ダウンロード可」、アップロードのみ実行可能な「アップロード可」、ダウンロードのみ実行可能な「ダウンロード可」、プレビューのみ実行可能な「プレビューのみ」の何れかを設定可能となっている（図６参照）。
【００３０】
公開モード変更プログラムｃ３は、通信制御部３４により受信された公開モード変更指示情報に基づいて、ＣＰＵ３１１による公開モード設定プログラムｃ２の実行に従って設定された公開モードを変更する機能を実現させるプログラムである。ここで、ＣＰＵ３１１により公開モード変更プログラムｃ３が実行されることに基づいて、制御部３１が公開モード変更手段として機能する。
【００３１】
同公開モード設定プログラムｃ４は、一のジョブが複数のオンライン作業ファイルにより構成されている場合に、複数のオンライン作業ファイルのうち、何れか一のオンライン作業ファイルの公開モードの設定に基づいて、当該一のオンライン作業ファイル以外のジョブを構成するオンライン作業ファイルの公開モードを一のオンライン作業ファイルの公開モードと同じになるように設定する機能を実現させるプログラムである。ここで、ＣＰＵ３１１により同公開モード設定プログラムｃ４が実行されることに基づいて、制御部３１が同公開モード設定手段として機能する。
より具体的には、ＣＰＵ３１１による同公開モード設定プログラムｃ４の実行に基づいて、一のオンライン作業ファイルの公開モードが設定されることにより、例えば、当該オンライン作業ファイルを格納する所定のジョブに係るデータ格納ディレクトリｂ２の公開モードが設定されるようになっており、これによって、データ格納ディレクトリｂ２に格納されている複数のオンライン作業ファイルの公開モードが一のオンライン作業ファイルの公開モードと同じになるように設定されることとなる。
【００３２】
公開中止プログラムｃ５は、通信制御部３４により受信された公開中止指示情報に基づいて、制御部３１の制御下にて公開モードが設定されたオンライン作業ファイルの公開を中止させる機能を実現させるプログラムである。ここで、ＣＰＵ３１１により公開中止プログラムｃ５が実行されることに基づいて、制御部３１が公開中止手段として機能する。
【００３３】
表示部３２は、例えば、ユーザに報知するために種々の情報を表示するＣＲＴ（Cathode Ray Tube）、液晶ディスプレイ（ＬＣＤ）等を備えて構成されている。
【００３４】
操作入力部３３は、例えば、ユーザが所定の操作を行うためのキーボードやマウス等を備え、ユーザによる操作に基づいて操作信号を制御部３１に出力するようになっている。
【００３５】
通信制御部３４は、例えば、制御部３１の制御下にて、作業者端末１との間で情報の通信制御を行うためのものである。
具体的には、通信制御部３４は、作業者端末１の通信制御部１５（後述）から送信され、データ格納ディレクトリｂ２に記憶されたオンライン作業ファイルの公開条件を指示する公開条件指示情報を受信するようになっている。ここで、通信制御部３４は、公開条件指示情報受信手段として機能する。
【００３６】
また、通信制御部３４は、作業者端末１の通信制御部１５から送信され、制御部３１の制御下にて設定されたオンライン作業ファイルの公開モードの変更を指示する公開モード変更指示情報を受信するようになっている。ここで、通信制御部３４は、変更指示情報受信手段として機能する。
【００３７】
さらに、通信制御部３４は、作業者端末１の通信制御部１５から送信され、制御部３１の制御下にて設定された公開モードに従ったオンライン作業ファイルの公開の中止を指示する公開中止指示情報を受信するようになっている。ここで、通信制御部３４は、中止指示情報受信手段として機能する。
【００３８】
次に、作業者端末１について図４を参照して説明する。ここで、図４は、作業者端末１の概略構成を示すブロック図である。
作業者端末１は、例えば、パーソナルコンピュータ等から構成されており、具体的には、例えば、図４に示すように、ＣＰＵ１１と、記憶部１２と、表示部１３と、操作入力部１４と、通信制御部１５等を備え、各部はバス１Ａにより接続されている。
【００３９】
ＣＰＵ１１は、記憶部１２に記憶されている作業者端末１としての機能に関る各種プログラムを読み出して記憶部１２の作業領域に展開し、当該プログラムに従って各種処理を実行するものである。
【００４０】
記憶部１２には、ＣＰＵ１１の作業エリア１２１と、オンライン作業にてファイルサーバ３のデータ格納ディレクトリｂ２と接続される作業ディレクトリ１２２ａ等を格納するデータエリア１２２ａと、ＣＰＵ１１に実行されるプログラムが格納されたプログラムエリア１２３とが形成されている。
【００４１】
表示部１３は、例えばＣＲＴやＬＣＤ等により構成されており、ＣＰＵ１１から出力された所定の表示制御信号に従って各種の画面表示を行うようになっている。
具体的には、表示部１３は、図５に示すように、公開条件設定画面Ｇ１を表示して、ファイルサーバ３のデータ格納ディレクトリｂ２に格納されているオンライン作業ファイルの公開条件を指示する公開条件指示情報の入力、より具体的には、作業者によるマウス操作に基づいて所定の公開条件の指定を受け付けるようになっている。
また、表示部１３は、図７に示すように、公開条件変更画面Ｇ２を表示して、設定されたオンライン作業ファイルの公開モードの変更を指示する公開モード変更指示情報の入力、より具体的には、作業者によるマウス操作に基づいて新規の公開条件の指定を受け付けるようになっている。
さらに、一のジョブが複数のオンライン作業から構成され、ジョブの公開モードが並列アクション公開モードに設定されている場合には、表示部１３は、ジョブを構成する一のオンライン作業の公開条件を設定する公開条件設定画面Ｇ１（図５参照）を表示する前に、図８に示すように、予め設定された他のオンライン作業ファイルの公開条件を並列アクション設定画面Ｇ３に表示するようになっている。
【００４２】
また、公開モード設定処理等にて公開モードが設定されると、図９に示すように、設定された公開モードの確認画面Ｇ４を表示部１３に表示可能となっている。
【００４３】
操作入力部１４は、例えば、マウスや各種の操作キーによって構成されるキーボードを備え、当該マウスやキーボードのユーザによる操作に基づいて操作信号をＣＰＵ１１に出力するようになっている。
【００４４】
通信制御部１５は、例えば、ＣＰＵ１１の制御下にて、ファイルサーバ３との間で情報の通信制御を行うためのものである。
具体的には、通信制御部１５は、作業者による操作入力部１４の所定操作に基づいて入力されたオンライン作業ファイルの公開条件を指示する公開条件指示情報をファイルサーバ３に対して送信するようになっている。ここで、通信制御部１５は、公開条件指示情報送信手段として機能する。
【００４５】
また、通信制御部１５は、作業者による操作入力部１４の所定操作に基づいて入力された、設定されたオンライン作業ファイルの公開モードの変更を指示する公開モード変更指示情報をファイルサーバ３に対して送信するようになっている。
さらに、通信制御部１５は、作業者による操作入力部１４の所定操作に基づいて入力された、設定されたオンライン作業ファイルの公開の中止を指示する公開中止指示情報をファイルサーバ３に対して送信するようになっている。
【００４６】
管理者端末２は、例えば、上述した作業者端末１と同様にパーソナルコンピュータ等から構成されており、具体的には、図１０に示すように、ＣＰＵ２１と、記憶部２２と、表示部２３と、操作入力部２４と、通信制御部２５等を備え、各部はバス２Ａにより接続されている。
【００４７】
また、管理者端末２は、管理者による操作入力部２４の所定操作に基づいて、一のジョブを構成するオンライン作業を担当する作業者の割り当て等を行うためのものである。
即ち、通信制御部２５は、管理者による操作入力部２４の所定操作に基づいて入力された各オンライン作業の担当作業者に係る情報をファイルサーバ３に対して送信するようになっている。
【００４８】
また、管理者端末２は、ＣＰＵ２１の制御下にて、作業者端末１を介して設定された公開モードに従ってファイルサーバ３に記憶されているオンライン作業ファイル及び当該オンライン作業ファイルに係る作業管理データベースｂ１に接続可能となっている。これにより、作業者によるオンライン作業の進捗状況等の作業状態の確認を行うことができるようになっている。
【００４９】
なお、管理者端末２は、上記説明した以外の点では作業者端末１と略同様であり、詳細な説明は省略する。
また、管理者端末２は、管理者がジョブを構成するオンライン作業の作業者として機能する場合には、作業者端末１として機能するようになっている。
【００５０】
なお、オンライン作業の依頼主、即ち、顧客にあっては、例えば、管理者のＩＤやパスワードを用いることにより、オンライン作業ファイル及び当該オンライン作業ファイルに係る作業関知データベースに接続してオンライン作業の進捗状況を確認することができるようになっている。
【００５１】
次に、作業管理システム１００による公開モード設定処理について、図１１を参照して説明する。
ここで、図１１は、公開モード設定処理に係る動作の一例を示すフローチャートである。
【００５２】
先ず、作業者による作業者端末１の操作入力部１４の所定操作により作業管理システム１００をオペレータモードで起動した後、例えば、操作入力部１４を介した当該作業者のＩＤ及びパスワードの入力に基づいて、当該作業管理システム１００にログインする（ステップＳ１）。すると、作業者端末１の表示部１３に所定のダイアログ画面（図示略）が表示される。
【００５３】
そして、作業者による操作入力部１４の所定操作に基づいて、ダイアログ画面上にて「アクション」が選択されると、当該アクション（オンライン作業）に係る各種メニュー画面（図５参照）が表示部１３に表示される。
その後、作業者による操作入力部１４の所定操作に基づいて、メニュー画面の「Ｗｅｂ公開」が選択されると、例えば、公開条件指示画面がサブウインドウとして表示部１４に表示される。ここで、例えば、図６に示す複数の公開条件の中から、所定の公開条件が作業者により指示されると、通信制御部１５は、選択された公開条件に係る公開条件指示情報をネットワーク４を介してファイルサーバ３に対して送信する（ステップＳ２）。
【００５４】
ファイルサーバ３にあっては、作業者端末１の通信制御部１５から送信された公開条件指示情報を通信制御部３４を介して受信すると、ＣＰＵ３１１は、記憶部３１２から公開モード設定プログラムｃ２を読み出して作業エリア３１２ａに展開し、この公開モード設定プログラムｃ２に従って、受信された公開条件指示情報に基づいて、権限ユーザデータベースｂ３に規定されているユーザに対してのオンライン作業ファイルの公開モードを設定する。ここで、一のジョブが複数のオンライン作業ファイルにより構成されている場合、即ち、例えば、所定のジョブに係るデータ格納ディレクトリｂ２に複数のオンライン作業ファイルが格納されている場合、何れか一のオンライン作業ファイルの公開モードが設定されると、ＣＰＵ３１１は、記憶部３１２から同公開モード設定プログラムｃ４を読み出して作業エリア３１２ａに展開し、この同公開モード設定プログラムｃ４に従って、公開モードが設定された一のオンライン作業ファイルを格納するジョブに係るデータ格納ディレクトリｂ２の公開モードを設定して、当該データ格納ディレクトリｂ２に格納されているジョブを構成する全てのオンライン作業ファイルの公開モードが一のオンライン作業ファイルの公開モードと同じになるように設定する。
【００５５】
具体的には、ＣＰＵ３１１は、先ず、認証処理として、公開条件テーブルｂ４に基づいて、例えば、権限ユーザの確認、オンライン作業が「開始」又は「中断」状態であるか、オンライン作業ファイルのＷｅｂ公開フラグが「ＯＦＦ」であるか、ジョブ情報のＷｅｂ公開フラグが「ＯＦＦ」であるか等を確認する（ステップＳ３）。また、ＣＰＵ３１１は、オンライン作業ファイル及びジョブ情報をロックして、オンライン作業ファイルのロックフラグを「ＯＮ」にするとともに、ジョブ情報のＷｅｂ公開ロックフラグを「ＯＮ」に設定する。
次に、ＣＰＵ３１１は、アカウント処理として、例えば、アカウント名及び公開対象となるファイル等の登録状態を確認する（ステップＳ４）。ここで、アカウントが未登録の場合には、例えば、ＣＰＵ３１１による所定の制御プログラムの実行に基づいて、日時情報等を利用して所定のアカウントを登録（設定）する。
続けて、ＣＰＵ３１１は、公開ボリューム処理として、例えば、対象ファイル、アカウント名、ボリューム（データ格納ディレクトリ）のフルパス、ボリューム名（ジョブ名）、公開条件等を公開ボリュームとして登録する（ステップＳ５）。
次に、ＣＰＵ３１１は、モード設定処理（状態確定処理）として、例えば、オンライン作業ファイルのＷｅｂ公開フラグを「ＯＮ」、ロックフラグを「ＯＦＦ」、ジョブ情報のＷｅｂ公開フラグを「ＯＮ」、公開制御ＩＤを所定の公開条件にセットし、Ｗｅｂ公開ロックフラグを「ＯＦＦ」にして（ステップＳ６）、公開モードの設定を完了する。
【００５６】
次に、作業管理システム１００による公開モード変更処理について、図１２を参照して説明する。
ここで、図１２は、公開モード変更処理に係る動作の一例を示すフローチャートである。
【００５７】
図１２に示すように、作業管理システム１００にログインした状態で（ステップＳ１０１）、作業者による操作入力部１４の所定操作に基づいて、表示部１３に表示されたアクション（オンライン作業）に係る各種メニュー画面（図７参照）の「Ｗｅｂ公開」が選択されると、例えば、公開条件変更画面がサブウインドウとして表示部１３に表示される。ここで、所定の公開条件が作業者により指示されると、通信制御部１５は、公開条件の選択指示信号を公開モード変更指示情報としてネットワーク４を介してファイルサーバ３に対して送信する（ステップＳ１０２）。
【００５８】
ファイルサーバ３にあっては、作業者端末１の通信制御部１５から送信された公開モード変更指示情報を通信制御部３４を介して受信すると、ＣＰＵ３１１は、記憶部３１２から公開モード変更プログラムｃ３を読み出して作業エリア３１２ａに展開し、この公開モード変更プログラムｃ３に従って、受信された公開モード変更指示情報に基づいて公開モードを変更する処理を行うようになっている。
具体的には、ＣＰＵ３１１は、認証処理として、公開条件テーブルｂ４に基づいて、例えば、権限ユーザの確認、オンライン作業が「開始」又は「中断」状態であるか、オンライン作業ファイルのＷｅｂ公開フラグが「ＯＮ」であるか、ジョブ情報のＷｅｂ公開フラグが「ＯＮ」であるか、公開制御ＩＤが「非ＮＵＬＬ」であるか等の確認を行う（ステップＳ１０３）。また、ＣＰＵ３１１は、オンライン作業ファイルをロックして、オンライン作業ファイルのロックフラグを「ＯＮ」に設定する。
その後、ＣＰＵ３１１は、公開ボリューム処理として、公開条件を公開制御ＩＤにて規定された所定の公開モードに変更した後（ステップＳ１０４）、モード設定処理として、ジョブ情報の公開制御ＩＤを所定の公開条件に変更し、オンライン作業ファイルのロックフラグを「ＯＦＦ」にして（ステップＳ１０５）、公開モードの設定を完了する。
【００５９】
また、ジョブの公開モードが並列アクション公開モードに設定されている場合には、図示は省略するが、ファイルサーバ３のＣＰＵ３１１の制御下にて、公開条件テーブルｂ４に基づいて、例えば、権限ユーザの確認、オンライン作業が「開始」又は「中断」状態であるか、オンライン作業ファイルのＷｅｂ公開フラグが「ＯＦＦ」であるか、ジョブ情報のＷｅｂ公開フラグが「ＯＮ」であるか、公開制御ＩＤが「非ＮＵＬＬ」であるか等の確認が行われる。
次に、ＣＰＵ３１１は、オンライン作業ファイルをロックして、オンライン作業ファイルのロックフラグを「ＯＮ」に設定する。
その後、ＣＰＵ３１１は、オンライン作業ファイルのＷｅｂ公開フラグを「ＯＮ」、オンライン作業ファイルのロックフラグを「ＯＦＦ」にして処理を完了する。
【００６０】
次に、作業管理システム１００による公開中止処理について、図１３を参照して説明する。
ここで、図１３は、公開中止処理に係る動作の一例を示すフローチャートである。
【００６１】
図１３に示すように、作業管理システム１００にログインした状態で（ステップＳ２０１）、作業者による操作入力部１４の所定操作に基づいて、表示部１３に表示されたアクション（オンライン作業）に係る各種メニュー画面の「Ｗｅｂ公開中止」が選択されると、通信制御部１５は、「Ｗｅｂ公開中止」の選択指示信号を公開中止指示情報としてネットワーク４を介してファイルサーバ３に対して送信する（ステップＳ２０２）。
【００６２】
ファイルサーバ３にあっては、作業者端末１の通信制御部１５から送信された公開中止指示情報を通信制御部３４を介して受信すると、ＣＰＵ３１１は、記憶部３１２から公開中止プログラムｃ５を読み出して作業エリア３１２ａに展開し、この公開中止プログラムｃ５に従って、受信された公開中止指示情報に基づいて所定の公開モードで公開されているオンライン作業ファイルの公開を中止させる。
具体的には、ＣＰＵ３１１は、認証処理として、公開条件テーブルｂ４に基づいて、例えば、権限ユーザの確認、オンライン作業ファイルのＷｅｂ公開フラグが「ＯＮ」であるか等の確認を行う（ステップＳ２０３）。また、ＣＰＵ３１１は、オンライン作業ファイル及びジョブ情報をロックして、オンライン作業ファイルのロックフラグを「ＯＮ」にするとともに、ジョブ情報のＷｅｂ公開ロックフラグを「ＯＮ」に設定する。
その後、ＣＰＵ３１１は、公開ボリューム処理として、並列アクションモードに設定されているかいなかを判定し、並列アクションモードに設定されていない場合には、ボリュームのフルパスを削除する等の処理を行う（ステップＳ２０４）。
次に、ＣＰＵ３１１は、モード設定処理として、例えば、オンライン作業ファイルのＷｅｂ公開フラグを「ＯＦＦ」、ロックフラグを「ＯＦＦ」、ジョブ情報のＷｅｂ公開フラグを「ＯＦＦ」、Ｗｅｂ公開ロックフラグを「ＯＦＦ」にして（ステップＳ２０５）、公開モードの設定を完了する。
【００６３】
以上のように、本実施形態の作業管理システム１００によれば、ファイルサーバ３には、データ格納ディレクトリｂ２に記憶されたオンライン作業ファイルの公開対象となる権限ユーザを記憶する権限ユーザデータベースｂ３が備えられ、作業者端末１の通信制御部１５から送信され通信制御部３４により受信された、オンライン作業ファイルの公開条件を指示する公開条件指示情報に基づいて、権限ユーザデータベースｂ３に規定された権限ユーザに対してのオンライン作業ファイルの公開モードを設定することができる。
このとき、所定のジョブを構成する複数のオンライン作業ファイルのうち、何れか一のオンライン作業ファイルの公開モードの設定に基づいて、一のオンライン作業ファイル以外のジョブを構成するオンライン作業ファイルの公開モードを一のオンライン作業ファイルの公開モードと同じになるように設定することができるので、ジョブを構成する何れか一のオンライン作業ファイルの公開モードの設定を行うことにより、当該ジョブを構成する複数のオンライン作業ファイル、即ち、一のジョブに係るデータ格納ディレクトリに格納されている全てのオンライン作業ファイルの公開モードを簡便に設定することができることとなる。
これにより、設定された公開モードに従ってオンライン作業ファイルを公開することができることとなり、管理者や顧客等は当該オンライン作業ファイルに基づいてオンライン作業の作業状態の確認を簡便に行うことができることとなる。
【００６４】
また、公開モードの変更を指示する公開モード変更指示情報に基づいて、設定された公開モードを変更することができる。即ち、一旦設定された公開モードを変更することができることとなり、変更された公開モードに従ってオンライン作業ファイルを適正に公開することができる。
さらに、オンライン作業ファイルの公開の中止を指示する公開中止指示情報に基づいて、公開モードが設定されたオンライン作業ファイルの公開を中止させることができる。即ち、一旦公開モードが設定されたオンライン作業ファイルであっても、当該公開を適正に中止させることができる。このように、作業管理システム１００をより魅力的なものとすることができる。
【００６５】
なお、本発明は、上記実施の形態に限定されることなく、本発明の趣旨を逸脱しない範囲において、種々の改良並びに設計の変更を行っても良い。
【図面の簡単な説明】
【００６６】
【図１】本発明を適用した一実施形態として例示する作業管理システムを説明するための図である。
【図２】図１の作業管理システムを構成するファイルサーバの概略構成示すブロック図である。
【図３】公開条件テーブルを示す図である。
【図４】図１の作業管理システムを構成する作業者端末の概略構成を示すブロック図である。
【図５】図４の作業者端末の表示部に表示される公開モード設定処理に係る表示例を示す図である。
【図６】図５の公開モード設定処理により設定される公開モードを説明するための図である。
【図７】図４の作業者端末の表示部に表示される公開モード変更処理に係る表示例を示す図である。
【図８】図４の作業者端末の表示部に表示される公開モード設定処理に係る表示例を示す図である。
【図９】図４の作業者端末の表示部に表示される公開モード確認処理に係る表示例を示す図である。
【図１０】図１の作業管理システムを構成する管理者端末の概略構成を示すブロック図である。
【図１１】図１の作業管理システムによる公開モード設定処理に係る動作の一例を示すフローチャートである。
【図１２】図１の作業管理システムによる公開モード変更処理に係る動作の一例を示すフローチャートである。
【図１３】図１の作業管理システムによる公開中止処理に係る動作の一例を示すフローチャートである。
【符号の説明】
【００６７】
１００  作業管理システム
１      作業者端末
１３    表示部
１５    通信制御部（公開条件指示情報送信手段）
３      ファイルサーバ（作業管理サーバ）
３１    制御部（公開モード設定手段、公開モード変更手段、同公開モード設定手段、公開中止手段）
３１２  記憶部（オンライン作業情報記憶手段、公開対象者情報記憶手段）
３４    通信制御部（公開条件指示情報受信手段、変更指示情報受信手段、中止指示情報受信手段）
４      ネットワーク（通信回線）
【図１】
2006127099.tif 000003
【図２】
2006127099.tif 000004
【図３】
2006127099.tif 000005
【図４】
2006127099.tif 000006
【図５】
2006127099.tif 000007
【図６】
2006127099.tif 000008
【図７】
2006127099.tif 000009
【図８】
2006127099.tif 000010
【図９】
2006127099.tif 000011
【図１０】
2006127099.tif 000012
【図１１】
2006127099.tif 000013
【図１２】
2006127099.tif 000014
【図１３】
2006127099.tif 000015